(57)【特許請求の範囲】
【請求項１】
定振幅強度のキャリア波を送信することにより電磁誘導で応答装置へ電力供給を行い、そのキャリア波をデジタル変調して任意のデータを重畳することにより前記応答装置へデータ送信するとともに、前記デジタル変調により所定のリクエスト信号を送信しこれを受信した応答装置からの応答信号に応じて、当該装置の電磁界領域への応答装置の進入を検出する電磁誘導質問装置であって、
前記キャリア波を任意にデジタル変調することにより任意のデータを重畳して送信する変調回路と、
前記変調回路を制御して前記リクエスト信号を送信する信号処理回路とを備え、
前記信号処理回路は、前記リクエスト信号の送信に先立って、前記変調回路を制御して前記キャリア波の振幅強度をパルス的に一時低下させるパルスオフ変調を行うとともに、そのパルスオフ変調後にその振幅強度を復帰させて電力供給を行うことにより、応答装置の動作電圧を制御してその応答装置をパワーオンリセットさせることを特徴とする電磁誘導質問装置。
【請求項２】
請求項１記載の電磁誘導質問装置において、
前記信号処理回路は、前記パルスオフ変調の際、前記キャリア波の振幅強度を無変調時の２０％以下まで低下させることを特徴とする電磁誘導質問装置。
【請求項３】
請求項１または２記載の電磁誘導質問装置において、
前記信号処理回路は、前記パルスオフ変調の際、前記キャリア波の振幅強度を少なくとも１ｍｓ以上にわたって低下させることを特徴とする電磁誘導質問装置。
【請求項４】
請求項１または２記載の電磁誘導質問装置において、
前記信号処理回路は、前記パルスオフ変調の際、前記キャリア波の振幅強度を低下させる期間を１ｍｓ以上１０ｍｓ以下とし、そのパルスオフ変調後の振幅強度の復帰から前記リクエスト信号の送信開始までの期間を１ｍｓ以上２０ｍｓ以下であって、好ましくは３ｍｓ以上１０ｍｓ以下とすることを特徴とする電磁誘導質問装置。
【請求項５】
請求項１〜４記載の電磁誘導質問装置において、
前記変調回路は、周波数１３．５６ＭＨｚのキャリア波を用いて、近接型または近傍型のＩＣカードからなる前記応答装置へ電力供給するとともにデータ送信を行うことを特徴とする電磁誘導質問装置。
【請求項６】
電磁誘導により非接触で質問装置と応答装置との間でデータ通信を行う場合の通信方法において、
質問装置は、
所定振幅強度のキャリア波を送信することにより電磁誘導で応答装置へ電力供給を行うとともに、変調回路で前記キャリア波をデジタル変調して任意のデータを重畳することにより前記応答装置へデータ送信し、
当該質問装置の電磁界領域への応答装置の進入を検出する際は、前記変調回路を制御して所定のリクエスト信号を送信し、そのリクエスト信号を受信した応答装置からの応答信号に応じて、前記電磁界領域へ前記応答装置が進入したことを検出し、
前記リクエスト信号を送信する際、そのリクエスト信号の送信に先立って、前記変調回路を制御して前記キャリア波の振幅強度をパルス的に一時低下させるパルスオフ変調を行うとともに、そのパルスオフ変調後にその振幅強度を復帰させて電力供給を行し、
応答装置は、
前記パルスオフ変調に応じて動作電圧を低下させて当該応答装置をパワーオンリセットすることを特徴とする通信方法。
【請求項７】
請求項６記載の通信方法において、
前記質問装置は、前記パルスオフ変調の際、前記キャリア波の振幅強度を無変調時の２０％以下まで低下させることを特徴とする通信方法。
【請求項８】
請求項６または７記載の通信方法において、
前記質問装置は、前記パルスオフ変調の際、前記キャリア波の振幅強度を少なくとも１ｍｓ以上にわたって低下させることを特徴とする通信方法。
【請求項９】
請求項６または７記載の通信方法において、
前記質問装置は、前記パルスオフ変調の際、前記キャリア波の振幅強度を低下させる期間を１ｍｓ以上１０ｍｓ以下とし、そのパルスオフ変調後の振幅強度の復帰から前記リクエスト信号の送信開始までの期間を１ｍｓ以上２０ｍｓ以下であって、好ましくは３ｍｓ以上１０ｍｓ以下とすることを特徴とする通信方法。
【請求項１０】
請求項６〜９記載の通信方法において、
前記質問装置は、周波数１３．５６ＭＨｚでキャリア波を送信し、
前記応答装置として、近接型または近傍型のＩＣカードを用いることを特徴とする通信方法。
【発明の詳細な説明】
【０００１】
【発明の属する技術分野】
本発明は、電磁誘導質問装置および通信方法に関し、特に電磁誘導を用いて非接触状態で電力供給とデータ通信を行う非接触通信システムで用いられる電磁誘導質問装置および通信方法に関するものである。
【０００２】
【従来の技術】
近年、ＩＣカード、タグ、データキャリア等などからなる、電子回路を用いた携帯可搬のデータ担体（以下、応答装置という）を用いた通信システムとして、数ＭＨｚ〜数１０ＭＨｚ程度のキャリア周波数を用いた電磁誘導を利用し、非接触でデータ担体へ電力を供給するとともにデータ通信を行う非接触通信システムが盛んに検討され、その商用化も進みつつある。
【０００３】
このような非接触通信システムは、その特徴の１つとして、特定の場所に設置される質問装置と応答装置との間で迅速に処理できる機能を有している。
したがって、例えば鉄道やバスなどの乗車券をチェックする改札システムに適用した場合は、改札ゲートに応答装置をかざすことで処理したり（以後、かざし処理と呼ぶ）、あるいは改札ゲートに瞬間的に接触させて処理する（以後、タッチ＆ゴー処理と呼ぶ）ことが可能となり、このような利点が注目されている。
【０００４】
【発明が解決しようとする課題】
しかしながら、このようなかざし処理やタッチ＆ゴー処理は、人間が体感する操作速度としては比較的速いものであっても、非接触通信システムで用いられる応答装置の内部回路動作にとってはまだ遅すぎる。このために、受信する電力変化が緩やか過ぎて、応答装置の内部動作を初期化するのに必要なパワーオンリセットの条件を設定する際、その技術的困難性が高く、ＩＣチップの設計が難しいという問題点があった。
本発明はこのような課題を解決するためのものであり、質問装置に対する応答装置の接近が遅い場合でも、応答装置のパワーオンリセットを確実に実行できる電磁誘導質問装置および通信システムを提供することを目的としている。
【０００５】
【課題を解決するための手段】
このような目的を達成するために、本発明にかかる電磁誘導質問装置は、所定振幅強度のキャリア波を送信することにより電磁誘導で応答装置へ電力供給を行い、そのキャリア波をデジタル変調して任意のデータを重畳することにより応答装置へデータ送信するとともに、デジタル変調により所定のリクエスト信号を送信しこれを受信した応答装置からの応答信号に応じて、当該装置の電磁界領域への応答装置の進入を検出する電磁誘導質問装置であって、キャリア波を任意にデジタル変調することにより任意のデータを重畳して送信する変調回路と、変調回路を制御してリクエスト信号を送信する信号処理回路とを設け、その信号処理回路により、リクエスト信号の送信に先立って、変調回路を制御してキャリア波の振幅強度をパルス的に一時低下させるパルスオフ変調を行うとともに、そのパルスオフ変調後にその振幅強度を復帰させて電力供給を行うことにより、応答装置の動作電圧を制御してその応答装置をパワーオンリセットさせるようにしたものである。
【０００６】
パルスオフ変調の際、信号処理回路で、キャリア波の振幅強度を無変調時の２０％以下まで低下させるようにしてもよく、またキャリア波の振幅強度を少なくとも１ｍｓ以上にわたって低下させるようにしてもよい。
あるいは、パルスオフ変調の際、信号処理回路で、キャリア波の振幅強度を低下させる期間を１ｍｓ以上１０ｍｓ以下とし、そのパルスオフ変調後の振幅強度の復帰からリクエスト信号の送信開始までの期間を１ｍｓ以上２０ｍｓ以下であって、好ましくは３ｍｓ以上１０ｍｓ以下としてもよい。
変調回路で、周波数１３．５６ＭＨｚのキャリア波を用いて、近接型または近傍型のＩＣカードからなる応答装置へ電力供給するとともにデータ送信を行うようにしてもよい。
【０００７】
また本発明にかかる通信方法は、電磁誘導により非接触で質問装置と応答装置との間でデータ通信を行う場合の通信方法において、質問装置で、所定振幅強度のキャリア波を送信することにより電磁誘導で応答装置へ電力供給を行うとともに、変調回路でキャリア波をデジタル変調して任意のデータを重畳することにより応答装置へデータ送信し、当該質問装置の電磁界領域への応答装置の進入を検出する際は、変調回路を制御して所定のリクエスト信号を送信し、そのリクエスト信号を受信した応答装置からの応答信号に応じて、電磁界領域へ応答装置が進入したことを検出し、リクエスト信号を送信する際、そのリクエスト信号の送信に先立って、変調回路を制御してキャリア波の振幅強度をパルス的に一時低下させるパルスオフ変調を行うとともに、そのパルスオフ変調後にその振幅強度を復帰させて電力供給を行し、応答装置で、パルスオフ変調に応じて動作電圧を低下させて当該応答装置をパワーオンリセットするようにしたものである。
【０００８】
パルスオフ変調の際、質問装置で、キャリア波の振幅強度を無変調時の２０％以下まで低下させるようにしてもよく、またキャリア波の振幅強度を少なくとも１ｍｓ以上にわたって低下させるようにしてもよい。
あるいはパルスオフ変調の際、質問装置で、キャリア波の振幅強度を低下させる期間を１ｍｓ以上１０ｍｓ以下とし、そのパルスオフ変調後の振幅強度の復帰からリクエスト信号の送信開始までの期間を１ｍｓ以上２０ｍｓ以下であって、好ましくは３ｍｓ以上１０ｍｓ以下としてもよい。
また、質問装置から、周波数１３．５６ＭＨｚでキャリア波を送信し、応答装置として、近接型または近傍型のＩＣカードを用いてもよい。
【０００９】
【発明の実施の形態】
次に、本発明の実施の形態について図面を参照して説明する。
図１は本発明の一実施の形態にかかる電磁誘導質問装置が用いられる非接触通信システムを示すブロック図である。この非接触通信システムは、質問装置（電磁誘導質問装置）１と応答装置（データ担体）２とから構成されている。
質問装置１では、応答装置２への電力供給のためにデータ送信時以外のときにも無変調のキャリア波を送信する。質問装置１と応答装置２は、それぞれキャリア波を送信データに基づき変調することにより相互にデータ通信を行う。
【００１０】
質問装置１には、アンテナ回路１１、同調回路１２、変調回路１３、復調回路１４、信号処理回路１５、制御回路１６、ＲＯＭ１７、および入出力Ｉ／Ｆ回路１８が設けられている。
制御回路１６は、内部にＣＰＵやメモリなどを有し、ＲＯＭ１７に予め記録されているプログラムを読み込んで起動することにより、質問装置１の各回路部を制御するとともに、入出力Ｉ／Ｆ回路１８を介して、パソコンなどの上位装置とデータ通信を行う。信号処理回路１５は、制御回路１６の制御に基づき応答装置２の検出やデータ通信の際に、応答装置２との間でのやり取りする信号を処理する。
【００１１】
変調回路１３は、信号処理回路１５の制御に基づき所定のキャリア波を無変調または任意に変調し（例えば１３．５６ＭＨｚのキャリア波をＡＳＫ／Amplitude Shift Keying方式で変調し）、同調回路１２およびアンテナ回路１１を介して応答装置２へ送信する。変調回路１３は、アンテナ回路１１および同調回路１２を介して応答装置２から受信した信号（例えば８４７．５ＫＨｚＫのサブキャリア波をＢＰＳＫ／Binary Phase Shift Keying方式で変調した信号）を復調して、信号処理回路１５へ出力する。
【００１２】
応答装置２には、アンテナ回路２１、同調回路２２、復調回路２３、クロック抽出回路２４、変調回路２５、内部ロジック回路２６、整流回路２７、定電圧回路２８、およびパワーオンリセット回路２９が設けられている。
内部ロジック回路２６は、内部にＣＰＵ、メモリおよびＲＯＭなどを有し、応答装置２の各回路部を制御する。復調回路２３は、アンテナ回路２１および同調回路２２を介して受信した質問装置１からの信号を復調し（例えばＡＳＫ方式で復調し）、内部ロジック回路２６へ出力する。同様にしてクロック抽出回路２４は、アンテナ回路２１および同調回路２２を介して受信した質問装置１からのキャリア波から、動作に必要なクロック信号を抽出し内部ロジック回路２６へ出力する。
【００１３】
変調回路２５は、内部ロジック回路２６の制御に基づき、所定のキャリア波を任意に変調して（例えばＢＰＳＫ方式で変調して）、同調回路１２およびアンテナ回路１１を介して応答装置２へ送信する。
整流回路２７は、アンテナ回路２１および同調回路２２を介して受信した質問装置１からの信号を整流して出力する。定電圧回路２８は、整流回路２７からの整流出力を安定化し動作電源として内部ロジック回路２６やその他の回路部へ供給する。パワーオンリセット回路２９は、整流回路２７からの整流出力の電圧を監視して所定電圧以下となった期間に内部ロジック回路２６に対してリセット信号を出力する。
【００１４】
次に、図２，３を参照して、質問装置１および応答装置２の動作について説明する。図２は質問装置における起動からポーリング状態までの処理動作を示すフローチャート、図３は応答装置における起動からポーリング状態までの処理動作を示すフローチャートである。
質問装置１では、キャリア波をデジタル変調することによってデータを重畳し、応答装置２へデータ送信を行う。質問装置１が、どの応答装置とも通信状態にない場合、質問装置１の電磁界領域へ進入した応答装置２を検出するために、質問装置１では、リクエスト信号を定期的に送信することによって応答装置２からの応答を待ち受ける。この状態をポーリング状態という。
【００１５】
本実施の形態では、このポーリング状態におけるリクエスト信号の送信に先だって、パルス的にキャリア波の振幅強度を弱めるパルスオフ変調を行い、続いて振幅強度を復帰させて電力送信を行った後、リクエスト信号を送信するようにしたものである。
これにより、応答装置２が質問装置１の電磁界領域へ緩やかに進入した場合でも、応答装置２の整流回路２７からの整流出力が、パルスオフ変調に同期して大きく電圧低下し、その後キャリア波の振幅強度が復帰する際に、整流出力が急峻に立ち上がるものとなり、パワーオンリセット回路２９が正常に起動されるものとなる。
【００１６】
まず、質問装置１の制御回路１６は、入出力Ｉ／Ｆ回路１８を介して受けた上位装置からの初期化起動指示に応じて（ステップ１００）、ＲＯＭ１７からプログラムを読み込み（ステップ１０１）、そのプログラムを起動して制御を開始する（ステップ１０２）。
制御回路１６は、そのプログラムに基づいて、自装置の電磁界領域に対する応答装置２の進入を検出するポーリング状態へ遷移する（ステップ１０３）。これに応じて、信号処理回路１５では、変調回路１３を制御して所定の振幅強度で無変調のキャリア波を送信する（ステップ１０４）。
【００１７】
続いて、信号処理回路１５では、変調回路１３を制御して一時的にキャリア波の振幅強度を弱めるパルスオフ変調を行い（ステップ１０５）、キャリア波を元の振幅強度へ復帰させる（ステップ１０６）。
そして、リクエスト信号の変調コードを生成し（ステップ１０７）、変調回路１３を制御してその変調コードでキャリア波を変調し（ステップ１０８）、同調回路１２およびアンテナ回路１１を介してリクエスト信号を送信する（ステップ１０９）。
【００１８】
その後、信号処理回路１５では、アンテナ回路１１および同調回路１２を介して、応答装置２からの正常な応答信号が受信されるまで、上記ステップ１０５〜１０９を繰り返し実行する（ステップ１１０：ＮＯ）。
復調回路１４において、応答装置２からの正常な応答信号が受信された場合（ステップ１１０：ＹＥＳ）、信号処理回路１５は、復調回路１４を制御してその応答信号を復調し（ステップ１１１）、応答装置２とのデータ通信処理へ移行して（ステップ１１２）、一連の処理を終了する。
【００１９】
一方、応答装置２では、質問装置１の電磁界領域に進入した際、アンテナ回路２１および同調回路２２を介して質問装置１からのキャリア波により電力を受信し（ステップ１２０）、整流回路２７によりその電力が整流され整流出力が得られる（ステップ１２１）。
その後、質問装置１によるキャリア波に対するパルスオフ変調に応じて、整流出力が電圧低下して電力が放電され（ステップ１２２）、キャリア波の振幅強度の復帰に応じて電力が再受信されて整流出力が急峻に立ち上がる（ステップ１２３）。パワーオンリセット回路２９では、この整流出力の急峻な立ち上がりに同期して正常に起動し、リセット信号を内部ロジック回路２６へ出力する（ステップ１２４）。これと並行して、クロック抽出回路２４により質問装置１からのキャリア波からクロック信号が抽出され、内部ロジック回路２６へ供給される。
【００２０】
ここで、パワーオンリセット回路２９が正常に起動し、正規のリセット信号が内部ロジック回路２６へ出力された場合（ステップ１２５：ＹＥＳ）、内部ロジック回路２６内のＣＰＵが起動され、クロック抽出回路２４からのクロック信号に基づき、次のような応答処理が開始される。
内部ロジック回路２６は、まず、ウォッチドッグ機構などにより当該内部ロジック回路２６が正常に動作しているか判定し、正常動作している場合には（ステップ１２６：ＹＥＳ）、復調回路２３を制御して、パルスオフ変調の後に現れるリクエスト信号を受信し（ステップ１２７）、これに対応する応答信号を変調回路２５から同調回路２２およびアンテナ回路２１を介して質問装置１へ送信する（ステップ１２８）。
【００２１】
一方、上記ステップ１２５において、正規のリセット信号が内部ロジック回路２６へ出力されなかった場合は（ステップ１２５：ＮＯ）、無応答または異常応答となり（ステップ１３０）、ステップ１２２へ戻って次のパルスオフ変調を待ち受ける。また、上記ステップ１２６において、内部ロジック回路２６が正常に動作していないと判定された場合や（ステップ１２６：ＮＯ）、上記ステップ１２９において、応答信号を正常に送信できなかった場合には（ステップ１２９：ＮＯ）、同様にしてステップ１３０へ移行する。
また、上記ステップ１２９において、応答信号を正常に送信できた場合には（ステップ１２９：ＹＥＳ）、質問装置１とのデータ通信処理へ移行し（ステップ１３１）、一連の処理を終了する。
【００２２】
このように、質問装置１において、ポーリング状態におけるリクエスト信号の送信に先だって、パルス的にキャリア波の振幅強度を弱めるパルスオフ変調を行い、続いて振幅強度を復帰させて電力送信を行った後、リクエスト信号を送信するようにしたので、かざし操作やタッチ＆ゴー操作のように応答装置２が質問装置１の電磁界領域へ緩やかに進入した場合でも、応答装置２の整流回路２７からの整流出力が、パルスオフ変調に同期して大きく電圧低下し、その後キャリア波の振幅強度が復帰する際に、整流出力が急峻に立ち上がるため、パワーオンリセット回路２９を正常に起動できる。したがって、質問装置１や応答装置２に複雑な回路を追加することなく、応答装置のパワーオンリセットを確実に実行できる。
【００２３】
図４に上記したポーリング状態における振幅強度の変化を示す。
まず、区間Ａでは、応答装置２へ所定電力を供給するのに十分な振幅強度で質問装置１からキャリア波が送信される。
これにより、応答装置２の整流回路２７からの整流出力として十分な電圧値が出力される。また、パワーオンリセット回路２９からはリセット信号が出力されていない。
【００２４】
次に、区間Ｂでパルスオフ変調が行われた場合、質問装置１からのキャリア波の振幅強度が低下し、応答装置２の動作に不十分な程度まで整流出力が低下する。これにより、パワーオンリセット回路２９からリセット信号が出力される。
その後、区間Ｃで、質問装置１からのキャリア波がパルスオフ変調前と同等の振幅強度まで復帰し、続く区間Ｄで質問装置１から応答装置２へのリクエスト信号が重畳される。
そして、応答装置２からの応答信号が質問装置１で受信され、両者間のデータ通信が開始されるまで、ポーリング状態としてこれら区間Ａ〜Ｄが繰り返し実行される。
【００２５】
上記Ｂ区間でのパルスオフ変調における振幅強度は、パワーオンリセット回路２９がリセット動作を開始する電圧まで整流出力を低下させるのに十分なレベル、例えば無変調時の約２０％程度まで低下させればよく、振幅強度を０とする必要はない。
また、区間Ｂのパルスオフ変調ではパルス的に振幅強度を変化させているが、区間Ｂから区間Ｃへ移行する際にその振幅強度を急峻に増加させることにより、パワーオンリセット回路２９で確実なリセット動作を行わせることができる。
【００２６】
このパルスオフ変調の時間幅△ｔは、１ｍｓ以上１０ｍｓ以下であって、かつ△ｔの後にキャリア波の振幅強度が元に戻った時刻ｔと、リクエストコマンドのための変調が開始される時刻ｔｒの時間間隔（ｔｒ−ｔ）は１ｍｓ以上２０ｍｓ以下が好ましく、より好ましくは３ｍｓ以上１０ｍｓ以下である。
すなわち、１ｍｓ≦区間Ｂの時間長≦１０ｍｓ、かつ１ｍｓ≦区間Ｃの時間長≦２０ｍｓとし、３ｍｓ≦区間Ｃの時間≦１０ｍｓがより好ましい。
このような時間的な制限は、主として。データ担体の内部容量と、通信処理速度への影響を鑑みてなされるものである。
【００２７】
応答装置２（データ担体）は、内部の内部容量の大きさによって、質問装置の電磁界強度がごく短い時間の間、低下しても容量が放電することにより、正常動作の状態を保持することができる。
一般的なデータ担体の内部回路が有する電気的容量の大きさについては、ｎＦ〜μＦオーダー程度であることから、放電によって状態保持できる時間は、せいぜい１ｍｓ程度である。したがってそれ以上であれば、データ担体がたとえ区間Ａのキャリア波によって電力を受信していた場合でも、内部状態を一旦リセットすることができる。しかし、パルスオフ変調時間をあまり長くすると、かざし操作やタッチ＆ゴー操作の処理を遅らせることになるので、過度に長くすることは非接触通信システムとしての性能を低下させることになる。したがって、１０ｍｓ程度をその最長時間とすればよい。
【００２８】
なお、区間Ｃの時間長については、データ担体の電気的容量を充電し、かつ内部ロジック回路２６のパワーオンリセットを行って、質問装置１からのリクエスト信号を受信できる待機状態にする必要があるため、最小１ｍｓは必要であり、５ｍｓ程度で完了する場合が多い。
しかし、データ担体の種類によっては、質問装置１から電磁誘導によって供給される電力が小さいと、この時間も長くなるため、好ましくは１ｍｓ以上２０ｍｓ以下であり、より好ましくは３ｍｓ以上１０ｍｓ以下である。
【００２９】
また、質問装置１からのキャリア波の周波数を１３．５６ＭＨｚとし、応答装置として近接型もしくは近傍型の非接触ＩＣカードを用いてもよい。近接型あるいは近傍型の非接触ＩＣカードは、それぞれＩＳＯ／ＩＥＣ１４４４４３およびＩＳＯ／ＩＥＣ１０５３６において標準化が進められているものである。
【００３０】
また、応答装置２が区間Ｄにおける質問装置１からのリクエスト信号に対して応答信号を返送すると、質問装置１はそれによって応答装置２の存在を確認し、それ以降は質問と応答を継続してデータ通信を行うことになる。
したがって、パルスオフ変調はあくまで、質問装置１の電磁界領域内に通信状態にある応答装置２が存在せず、応答装置２の検出を定期的に繰り返す、いわゆる待機状態（ポーリング状態）にある場合に行うものである。
【００３１】
典型的には、待機状態において、図５に示すようなパルスオフ変調とリクエスト信号送信のセットが定期的に繰り返される。
繰り返すタイミングとしては、リクエスト信号の後に、応答装置２からの応答を待機する応答待機時間にマージンαを加えた分の区間Ａ’をおく。応答待機時間がシステムによって大きく変わるので一概に言えないが、典型的には５〜３０ｍｓ程度が妥当な値である。
【００３２】
【実施例】
次に、本発明にかかる実施例について説明する。
この実施例では、質問装置１から１３．５６ＭＨｚのキャリア波を送信するものとし、質問装置１の筐体表面における磁界強度は、無変調時で５Ａ／ｍとする。また応答装置２へ送信するデータは、ＡＳＫ１０％変調によってキャリア波に重畳する。
前述した図４において、△ｔ＝３ｍｓとし、区間Ｂのパルスオフ変調での振幅強度は無変調時の１０％とし、区間Ｃの時間長は５ｍｓとする。
【００３３】
ｔｙｐｅＢにおいてリクエスト信号の送信は、トレーニング期間として質問装置１の変調開始、およびスタートオフフレーム（ＳＯＦ）があり、それ以後にいわゆるリクエスト信号Ｂ（ＲＥＱＢ）がくる順となる。区間Ｄでは、この順によってリクエスト信号を送信した。ｔｙｐｅＢにおける衝突防止法としては、ＩＳＯ／ＩＥＣ１４４４３−３でスロットマーカー方式が推奨されている。実際にはスロットマーカー方式を行っても差し支えなかったものの、ここでは衝突防止を行わずスロットは１とした。
質問装置の待機状態においては、前述した図５のように繰り返して、パルスオフ変調とリクエスト信号のセットを繰り返した。区間Ａ’における応答待機時間＋αの時間長として７ｍｓとした。
【００３４】
【発明の効果】
以上説明したように、本発明は、キャリア波を任意にデジタル変調することにより任意のデータを重畳して送信する変調回路と、変調回路を制御してリクエスト信号を送信する信号処理回路とを設け、その信号処理回路により、リクエスト信号の送信に先立って、変調回路を制御してキャリア波の振幅強度をパルス的に一時低下させるパルスオフ変調を行うとともに、そのパルスオフ変調後にその振幅強度を復帰させて電力供給を行うことにより、応答装置の動作電圧を制御してその応答装置をパワーオンリセットさせるようにしたので、かざし操作やタッチ＆ゴー操作のように応答装置が質問装置の電磁界領域へ緩やかに進入した場合でも、応答装置の動作電圧が、パルスオフ変調に同期して大きく電圧低下し、その後キャリア波の振幅強度が復帰する際に、整流出力が急峻に立ち上がるものとなる。したがって、質問装置や応答装置に複雑な回路を追加することなく、応答装置のパワーオンリセットを確実に実行できる。
【図面の簡単な説明】
【図１】  本発明の一実施の形態による電磁誘導質問装置が用いられる非接触通信システムを示すブロック図である
【図２】  質問装置の処理動作を示すフローチャートである。
【図３】  応答装置の処理動作を示すフローチャートである。
【図４】  ポーリング状態における振幅強度の変化を示すタイミングチャートである。
【図５】  ポーリング状態における振幅強度の変化を示す他のタイミングチャートである。
【符号の説明】
１…質問装置、２…応答装置、１１，２１…アンテナ回路、１２，２２…同調回路、１３，２５…変調回路、１４，２３…復調回路、１５…信号処理回路、１６…制御回路、１７…ＲＯＭ、１８…入力Ｉ／Ｆ回路、２４…クロック抽出回路、２６…内部ロジック回路、２７…整流回路、２８…定電圧回路、２９…パワーオンリセット回路。
【図１】
0003696796.tif 000002
【図２】
0003696796.tif 000003
【図３】
0003696796.tif 000004
【図４】
0003696796.tif 000005
【図５】
0003696796.tif 000006